(57)【要約】【課題】ダイバーシティ受信解除後に良好な番組視聴を継続することができるデジタル放送受信装置を提供すること。【解決手段】地上デジタル放送受信機１００は、複数のチューナ部１０〜１６と、複数の復調部２２〜２８と、復調信号の全部あるいは一部を合成する合成部３０と、番組視聴を行うＭＰＥＧデコーダ４０等と、バックグランド動作を行うサーチ処理部５４、ＥＰＧ作成部５５と、合成前および合成後のそれぞれの信号に基づいて放送信号の受信状態を検出する受信状態検出部５１と、すべての復調信号を合成して得られる信号に基づいて検出されるＣ／Ｎ値が第１の判定基準よりも良好であって、かつ、各復調部２２〜２８のそれぞれから出力される復調信号に基づいて個別に検出されるＣ／Ｎ値の標準偏差が第２の判定基準よりも小さい場合に、復調信号の一部を合成した信号に基づく番組視聴と残りを合成した信号に基づくバックグラウンド動作に切り替える切替制御部５３とを備えている。【選択図】図１
2018042027.tif 000002
【特許請求の範囲】
【請求項１】
複数のアンテナのそれぞれを介して入力される放送信号を受信する複数のチューナ部と、
前記複数のチューナ部のそれぞれに対応して設けられ、対応する前記チューナ部で受信した放送信号を用いて復調処理を行う複数の復調処理手段と、
前記複数の復調処理手段のそれぞれから出力される復調信号の全部あるいは一部を合成する合成手段と、
前記合成手段から出力される合成後の信号に基づいて受信番組に対応する映像および音声を再生する映像・音声再生手段と、
前記合成手段によって前記複数の復調処理手段のそれぞれから出力される復調信号の一部が合成されたときに、残りの復調信号を用いて、前記映像・音声再生手段による再生動作と並行して他の動作を行うバックグラウンド処理手段と、
前記合成手段による合成前および合成後のそれぞれの信号に基づいて、放送信号の受信状態を検出する受信状態検出手段と、
前記複数の復調処理手段から出力される復調信号の全部を合成して得られる合成後の信号に基づいて検出される受信状態が第１の判定基準よりも良好であって、かつ、前記複数の復調処理手段のそれぞれから出力される復調信号に基づいて個別に検出される受信状態のばらつきが第２の判定基準よりも小さい場合に、前記合成手段によって複数の前記復調信号の一部を合成した合成後の信号に基づいて前記映像・音声再生手段による再生動作を行い、複数の前記復調信号の残りを用いて前記バックグラウンド処理手段による他の動作を行うように切り替える切替手段と、
を備えることを特徴とするデジタル放送受信装置。
【請求項２】
前記合成手段は、前記複数の復調処理手段のそれぞれから出力される復調信号の全部あるいは一部を用いたダイバーシティ受信に対応した合成後の復調信号を出力することを特徴とする請求項１に記載のデジタル放送受信装置。
【請求項３】
前記受信状態検出手段は、放送信号のＣ／Ｎ値を用いて受信状態を検出することを特徴とする請求項１または２に記載のデジタル放送受信装置。
【請求項４】
前記受信状態のばらつきは、前記複数の復調処理手段のそれぞれから出力される復調信号に対応する複数のＣ／Ｎ値を用いて算出される標準偏差で示されることを特徴とする請求項３に記載のデジタル放送受信装置。
【請求項５】
前記複数の復調処理手段は、２つにグループ分けされており、合成後の信号に基づいて検出される受信状態が相対的に良好な一方のグループが前記映像・音声再生手段に対応し、受信情報が相対的に良好でない他方のグループが前記バックグラウンド処理手段に対応するように、前記切替手段による切り替えが行われることを特徴とする請求項１〜４のいずれか一項に記載にデジタル放送受信装置。
【請求項６】
前記切替手段は、前記複数の復調処理手段から出力される復調信号の全部を合成して得られる合成後の信号に基づいて検出される受信状態が前記第１の判定基準よりも良好であって、かつ、前記一方のグループと前記他方のグループのそれぞれの合成後の信号に基づいて検出される受信状態が両方とも第３の基準よりも良好な場合には、前記ばらつきに関する判定を行うことなく切り替えを行うことを特徴とする請求項５に記載のデジタル放送受信装置。
【請求項７】
前記バックグラウンド処理手段は、前記他の動作として、中継局あるいは系列局のサーチと電子番組表の作成の少なくとも一方の動作を行うことを特徴とする請求項１〜６のいずれか一項に記載のデジタル放送受信装置。
【発明の詳細な説明】
【技術分野】
【０００１】
本発明は、車両等に搭載されて映像や音声などのデジタル放送等を受信するデジタル放送受信装置に関する。
【背景技術】
【０００２】
従来から、４つのチューナ部を用いたダイバーシティ受信によって番組視聴を行うとともに、合成Ｃ／Ｎ値が２５以上であって電波品質が良好な場合に、４つのチューナ部を用いたダイバーシティ受信を解除し、２つのチューナ部を用いたダイバーシティ受信によって番組視聴を継続し、他の２つのチューナ部を用いたダイバーシティ受信によってバックグラウンドでサーチ動作を行うようにした車載用放送受信装置が知られている（例えば、特許文献１参照。）。
【先行技術文献】
【特許文献】
【０００３】
【特許文献１】特開２０１２−２５７０１１号公報
【発明の概要】
【発明が解決しようとする課題】
【０００４】
ところで、特許文献１に開示された車載用放送受信装置では、４つのチューナ部を用いたダイバーシティ受信を解除した際にそれ以後の番組視聴に支障がないか否かを合成Ｃ／Ｎ値で判断しているため、電波の到来方向や受信時の偏波（水平／垂直）によって４つのチューナ部のそれぞれにおける受信状態がばらつく場合には、４つのチューナ部を用いたダイバーシティ受信を解除した後の番組視聴に支障をきたすおそれがあるという問題があった。例えば、４つのチューナ部の中の１つの電波品質が特に良好で、他の３つのチューナ部のそれぞれの電波品質がそれほどでもないが合成Ｃ／Ｎ値が２５以上あるものとする。このような場合に、４つのチューナ部を用いたダイバーシティ受信を解除した後に、電波品質がそれほどでもない３つのチューナ部の中の２つを用いて番組視聴を継続しても、これら２つのチューナ部の合成Ｃ／Ｎ値が番組視聴可能Ｃ／Ｎ値以下の場合には番組視聴に支障が出ることになる。
【０００５】
本発明は、このような点に鑑みて創作されたものであり、その目的は、ダイバーシティ受信解除後に良好に番組視聴を継続することができるデジタル放送受信装置を提供することにある。
【課題を解決するための手段】
【０００６】
上述した課題を解決するために、本発明のデジタル放送受信装置は、複数のアンテナのそれぞれを介して入力される放送信号を受信する複数のチューナ部と、複数のチューナ部のそれぞれに対応して設けられ、対応するチューナ部で受信した放送信号を用いて復調処理を行う複数の復調処理手段と、複数の復調処理手段のそれぞれから出力される復調信号の全部あるいは一部を合成する合成手段と、合成手段から出力される合成後の信号に基づいて受信番組に対応する映像および音声を再生する映像・音声再生手段と、合成手段によって複数の復調処理手段のそれぞれから出力される復調信号の一部が合成されたときに、残りの復調信号を用いて、映像・音声再生手段による再生動作と並行して他の動作を行うバックグラウンド処理手段と、合成手段による合成前および合成後のそれぞれの信号に基づいて、放送信号の受信状態を検出する受信状態検出手段と、複数の復調処理手段から出力される復調信号の全部を合成して得られる合成後の信号に基づいて検出される受信状態が第１の判定基準よりも良好であって、かつ、複数の復調処理手段のそれぞれから出力される復調信号に基づいて個別に検出される受信状態のばらつきが第２の判定基準よりも小さい場合に、合成手段によって複数の復調信号の一部を合成した合成後の信号に基づいて映像・音声再生手段による再生動作を行い、複数の復調信号の残りを用いて前記バックグラウンド処理手段による他の動作を行うように切り替える切替手段とを備えている。
【０００７】
複数の復調処理手段の出力を合成した後の信号に基づいて検出される受信状態が良好なだけでなく、さらに各復調処理手段の出力に基づいて検出される受信状態にばらつきが少ないことが確認された場合に、全部の復調処理手段を用いた番組（映像、音声）の再生動作から、一部の復調処理手段を用いた番組の再生および残りの復調処理手段を用いたバックグラウンド動作に切り替えられるため、切替後に良好に番組視聴を継続することが可能となる。
【０００８】
また、上述した合成手段は、複数の復調処理手段のそれぞれから出力される復調信号の全部あるいは一部を用いたダイバーシティ受信に対応した合成後の復調信号を出力することが望ましい。これにより、複数のチューナ部を用いることにより、番組の受信品質を高めることができる。
【０００９】
また、上述した受信状態検出手段は、放送信号のＣ／Ｎ値を用いて受信状態を検出することが望ましい。Ｃ／Ｎ値を用いることにより、放送信号の受信状態を確実に検出することができる。
【００１０】
また、上述した受信状態のばらつきは、複数の復調処理手段のそれぞれから出力される復調信号に対応する複数のＣ／Ｎ値を用いて算出される標準偏差で示されることが望ましい。標準偏差を用いることにより、各チューナ部ごとの受信状態のばらつきを確実に知ることができる。
【００１１】
また、上述した複数の復調処理手段は、２つにグループ分けされており、合成後の信号に基づいて検出される受信状態が相対的に良好な一方のグループが映像・音声再生手段に対応し、受信情報が相対的に良好でない他方のグループがバックグラウンド処理手段に対応するように、切替手段による切り替えが行われることが望ましい。これにより、切替後も可能な限り良好な受信品質で番組視聴を継続することができる。
【００１２】
また、上述した切替手段は、複数の復調処理手段から出力される復調信号の全部を合成して得られる合成後の信号に基づいて検出される受信状態が第１の判定基準よりも良好であって、かつ、一方のグループと他方のグループのそれぞれの合成後の信号に基づいて検出される受信状態が両方とも第３の基準よりも良好な場合には、ばらつきに関する判定を行うことなく切り替えを行うことが望ましい。切替後も良好な受信品質で番組視聴の継続が可能であることを切替前に確認することにより、ばらつきに関する判定動作を省略することができる。
【００１３】
また、上述したバックグラウンド処理手段は、他の動作として、中継局あるいは系列局のサーチと電子番組表の作成の少なくとも一方の動作を行うことが望ましい。これにより、良好に番組視聴を継続しながら、中継局あるいは系列局のサーチ動作や電子番組表の作成動作を行うことが可能となる。
【図面の簡単な説明】
【００１４】
【図１】一実施形態の地上デジタル放送受信機の構成を示す図である。
【図２】地上デジタル放送受信機の動作手順を示す流れ図である。
【図３】Ｃ／Ｎ値と切替動作との関係を示す説明図である。
【図４】地上デジタル放送受信機の変形例の動作手順を示す流れ図である。
【発明を実施するための形態】
【００１５】
以下、本発明を適用した一実施形態の地上デジタル放送受信機について、図面を参照しながら説明する。
【００１６】
図１は、一実施形態の地上デジタル放送受信機の構成を示す図である。図１に示すように、本実施形態の地上デジタル放送受信機１００は、４つのチューナ部１０、１２、１４、１６、ＯＦＤＭ（Orthogonal Frequency Division Multiplex）復調部２０、ＭＰＥＧデコーダ４０、デジタル−アナログ変換器（Ｄ／Ａ）４２、スピーカ４４、表示処理部４６、表示装置４８、制御部５０、操作部６０を含んで構成されている。この地上デジタル放送受信機１００は、車両に搭載されている。
【００１７】
チューナ部１０、１２、１４、１６のそれぞれは、指定された放送局に対応するチャンネルの受信周波数の放送信号を、それぞれに１対１に対応して設けられたアンテナ１１、１３、１５、１７を介して受信する。
【００１８】
ＯＦＤＭ復調部２０は、４つのチューナ部１０〜１６のそれぞれから入力される放送信号（ＩＦ信号）に対してＯＦＤＭ復調処理を行い、ＴＳ（トランスポートストリーム）信号を出力する。本実施形態では、４つのチューナ部１０〜１６のそれぞれから入力される放送信号を用い、これらの放送信号の位相を調整した後に合成して受信する合成ダイバーシティ構成が採用され、使用するチューナ部の数が多い程Ｃ／Ｎ値を向上させることができる。
【００１９】
このため、ＯＦＤＭ復調部２０は、４つの復調部２２、２４、２６、２８と合成部３０を備えている。復調部２２は、チューナ部１０から出力される放送信号に対してＯＦＤＭ復調処理を行う。復調部２４は、チューナ部１２から出力される放送信号に対してＯＦＤＭ復調処理を行う。復調部２６は、チューナ部１４から出力される放送信号に対してＯＦＤＭ復調処理を行う。復調部２８は、チューナ部１６から出力される放送信号に対してＯＦＤＭ復調処理を行う。合成部３０は、４つの復調部２２〜２８の全部あるいは一部から出力される復調信号を合成して出力する。具体的には、（１）４つの復調部２２〜２８のそれぞれから出力される４つの復調信号を用いた合成動作（この合成動作によって出力される合成後の復調信号を「合成出力１」と称する）、（２）２つの復調部２２、２４のそれぞれから出力される２つの復調信号を用いた合成動作（この合成動作によって出力される合成後の復調信号を「合成出力２」と称する）と２つの復調部２６、２８のそれぞれから出力される２つの復調信号を用いた合成動作（この合成動作によって出力される合成後の復調信号を「合成出力３」と称する）、のいずれかが選択的に行われる。
【００２０】
ＭＰＥＧデコーダ４０は、ＯＦＤＭ復調部２０から出力されるＴＳ信号（合成出力１に対応するＴＳ信号、あるいは、合成出力２、３のいずれか一方に対応するＴＳ信号）に含まれる受信番組の音声および映像のＭＰＥＧ信号をデコードし、音声データおよび映像データを出力する。なお、実際には、ＯＦＤＭ復調部２０から出力されるＴＳ信号はデマルチプレクサに入力されて、利用者が視聴を希望している１つのチャンネルの番組に対応する音声および映像のＭＰＥＧ信号が分離されるが、このような番組の受信動作自体は従来手法と同じであって、図１では概略構成のみが図示されている。
【００２１】
デジタル−アナログ変換器４２は、ＭＰＥＧデコーダ４０から出力される音声データをアナログ音声信号に変換し、スピーカ４４から出力する。表示処理部４６は、ＭＰＥＧデコーダ４０から出力される映像データを、表示に適した形式（例えば、ＮＴＳＣ形式）の映像信号に変換して表示装置４８に表示する。
【００２２】
制御部５０は、地上デジタル放送受信機１００の番組受信動作の全体を制御するとともに、放送信号の受信状態に応じて、合成出力１を用いたフルセグメントデジタル放送受信と、合成出力２、３のいずれか一方を用いたフルセグメントデジタル放送受信と合成出力２、３のいずれか他方を用いたバックグラウンド動作とを切り替える。このために、制御部５０は、受信状態検出部５１、標準偏差算出部５２、切替制御部５３、サーチ処理部５４、ＥＰＧ作成部５５を備えている。
【００２３】
受信状態検出部５１は、合成部３０による合成前および合成後のそれぞれの信号に基づいて放送信号の受信状態としてのＣ／Ｎ値を検出する。これにより、以下に示す７つのＣ／Ｎ値ＣＮ1、ＣＮ2、ＣＮ3、ＣＮ4、ＣＮD1、ＣＮD2、ＣＮD3が得られる。
【００２４】
ＣＮ1：復調部２２から出力される復調信号に対応するＣ／Ｎ値、
ＣＮ2：復調部２４から出力される復調信号に対応するＣ／Ｎ値、
ＣＮ3：復調部２６から出力される復調信号に対応するＣ／Ｎ値、
ＣＮ4：復調部２８から出力される復調信号に対応するＣ／Ｎ値、
ＣＮD1：４つの復調部２２〜２８のそれぞれから出力される４つの復調信号を合成して得られる合成出力１に対応するＣ／Ｎ値、
ＣＮD2：２つの復調部２２、２４のそれぞれから出力される２つの復調信号を合成して得られる合成出力２に対応するＣ／Ｎ値、
ＣＮD3：２つの復調部２６、２８のそれぞれから出力される２つの復調信号を合成して得られる合成出力３に対応するＣ／Ｎ値。
【００２５】
標準偏差算出部５２は、復調部２２〜２８のそれぞれから出力される復調信号に対応する４つのＣ／Ｎ値ＣＮ1、ＣＮ2、ＣＮ3、ＣＮ4の標準偏差（ＣＮ（標準偏差））を算出する。ＣＮ1、ＣＮ2、ＣＮ3、ＣＮ4の平均値をＣＮAVとすると、ＣＮ（標準偏差）は以下の式を用いて算出することができる。
【００２６】
【数１】
2018042027.tif 000003
【００２７】
切替制御部５３は、４つのチューナ部１０〜１６を用いたダイバーシティ受信によって番組視聴中に、４つの復調部２２〜２８のそれぞれから出力される４つの復調信号を合成して得られる信号（合成出力１）に基づいて検出される受信状態が第１の判断基準よりも良好であって、かつ、４つの復調部２２〜２８のそれぞれから出力される復調信号に基づいて個別に検出される受信状態のばらつきが第２の判断基準よりも小さい場合に、合成部３０によって４つの復調信号の一部を合成した合成後の信号（合成出力２または３）に基づいてＭＰＥＧデコーダ４０等を用いた番組視聴を行い、４つの復調信号の残りを合成した合成後の信号（合成出力３または２）に基いてバックグラウンド動作を行うように、必要な構成に指示を送って切り替える制御（切替制御）を行う。
【００２８】
具体的には、切替制御部５３は、合成出力１に基づいて検出されるＣ／Ｎ値ＣＮD1が２６ｄＢ（第１の判断基準）以上であって、ＣＮ（標準偏差）が３ｄＢ（第２の判断基準）未満であるときに、上述した切替制御を行う。
【００２９】
サーチ処理部５４は、切替制御部５３による切替制御によってバックグラウンド動作の対象となったチューナ部１０、１２（あるいはチューナ部１４、１６）に対して周波数切替指示を送って、各チャンネルに含まれる番組内容を調べることにより、利用者が視聴している番組と内容が同じ他の番組を放送している他のチャンネルの中継局あるいは系列局を検出するサーチ動作を行う。
【００３０】
ＥＰＧ作成部５５は、切替制御部５３による切替制御によってバックグラウンド動作の対象となったチューナ部１０、１２（あるいはチューナ部１４、１６）に対して周波数切替指示を送って、各チャンネルに含まれる番組内容を調べることにより、受信可能な番組についてのＥＰＧ（電子番組ガイド、電子番組表）を作成する。
【００３１】
上述した４つの復調部２２、２４、２６、２８が複数の復調処理手段に、合成部３０が合成手段に、ＭＰＥＧデコーダ４０、デジタル−アナログ変換器（Ｄ／Ａ）４２、スピーカ４４、表示処理部４６、表示装置４８が映像・音声再生手段に、サーチ処理部５４、ＥＰＧ作成部５５がバックグラウンド処理手段に、受信状態検出部５１が受信状態検出手段に、標準偏差算出部５２、切替制御部５３が切替手段にそれぞれ対応する。
【００３２】
本実施形態の地上デジタル放送受信機１００はこのような構成を有しており、次にその動作を説明する。例えば、本実施形態では、４つのチューナ部１０を用いたダイバーシティ受信（この受信形式を「４ダイバー構成」と称する）によるフルセグメントデジタル放送の番組視聴中であって、受信状態が良好であるときに、その一部であるチューナ部１０、１２を用いたダイバーシティ受信（この受信形式を「２ダイバー構成」と称する）によるフルセグメントデジタル放送の番組視聴を継続するとともに、残りのチューナ部１４、１６を用いた２ダイバー構成によるフルセグメントデジタル放送のバックグラウンド動作に切り替える場合を想定している。
【００３３】
図２は、地上デジタル放送受信機１００の動作手順を示す流れ図である。４ダイバー構成によって番組視聴中に、切替制御部５３は、受信状態検出部５１によって検出された４ダイバー構成におけるＣ／Ｎ値ＣＮD1が２６ｄＢ以上か否かを判定する（ステップ１００）。Ｃ／Ｎ値ＣＮD1が２６ｄＢよりも低い場合、すなわち、２ダイバー構成で番組視聴を継続できるほど受信状態が良好でない場合には否定判断が行われ、引き続きこの判定が繰り返される。
【００３４】
また、Ｃ／Ｎ値ＣＮD1が２６ｄＢ以上の場合にはステップ１００の判定において肯定判断が行われる。次に、切替制御部５３は、標準偏差算出部５２によって算出された、復調部２２〜２８のそれぞれから出力される復調信号に対応する４つのＣ／Ｎ値ＣＮ1、ＣＮ2、ＣＮ3、ＣＮ4の標準偏差ＣＮ（標準偏差）が、３ｄＢ未満か否かを判定する（ステップ１０２）。標準偏差ＣＮ（標準偏差）が３ｄＢ以上の場合、すなわち、復調部２２〜２８のそれぞれから出力される復調信号に対応する４つのＣ／Ｎ値ＣＮ1、ＣＮ2、ＣＮ3、ＣＮ4のばらつきが大きい場合には否定判断が行われ、ステップ１００戻ってＣ／Ｎ値ＣＮD1についての判定動作が繰り返される。
【００３５】
また、標準偏差ＣＮ（標準偏差）が３ｄＢ未満の場合にはステップ１０２の判定において肯定判断が行われる。次に、切替制御部５３は、受信状態検出部５１によって検出されたチューナ部１０、１２に対応する一方の２ダイバー構成におけるＣ／Ｎ値ＣＮD2が、チューナ部１４、１６に対応する他方の２ダイバー構成におけるＣ／Ｎ値ＣＮD3以上か否かを判定する（ステップ１０４）。
【００３６】
Ｃ／Ｎ値ＣＮD2がＣ／Ｎ値ＣＮD3以上の場合には肯定判断が行われる。次に、切替制御部５３は、ＯＦＤＭ復調部２０、ＭＰＥＧデコーダ４０、サーチ処理部５４、ＥＰＧ作成部５５等に切替指示を送る。以後、この切替指示に応じて、チューナ部１０、１２に対応する一方の２ダイバー構成およびＭＰＥＧデコーダ４０による番組視聴が行われ（ステップ１０６）、チューナ部１４、１６に対応する他方の２ダイバー構成およびサーチ処理部５４、ＥＰＧ作成部５５によるバックグラウンド動作が行われる（ステップ１０８）。
【００３７】
一方、Ｃ／Ｎ値ＣＮD2がＣ／Ｎ値ＣＮD3未満の場合にはステップ１０４の判定において否定判断が行われる。次に、切替制御部５３は、ＯＦＤＭ復調部２０、ＭＰＥＧデコーダ４０、サーチ処理部５４、ＥＰＧ作成部５５等に切替指示を送る。以後、この切替指示に応じて、チューナ部１４、１６に対応する他方の２ダイバー構成およびＭＰＥＧデコーダ４０による番組視聴が行われ（ステップ１１０）、チューナ部１０、１２に対応する一方の２ダイバー構成およびサーチ処理部５４、ＥＰＧ作成部５５によるバックグラウンド動作が行われる（ステップ１１２）。
【００３８】
図３は、Ｃ／Ｎ値と切替動作との関係を示す説明図である。図３において、縦軸は４ダイバー構成あるいは２ダイバー構成におけるＣ／Ｎ値と、各復調部に対応する４つのＣ／Ｎ値の標準偏差の値を示している。また、横軸は、経過時間ｔを示している。例えば、１秒に１回の繰返し周期で図２に示した動作手順が繰り返されるものとする。
【００３９】
図３に示す例では、ｔ＝５（秒）の時点で４ダイバー構成のＣ／Ｎ値ＣＮD1が、切替判定値としての２６ｄＢを超える。このときの標準偏差ＣＮ（標準偏差）は３ｄＢを超えているため、４ダイバー構成が維持され、２ダイバー構成への切り替えは行われない。このため、良好に番組視聴を継続することができる。
【００４０】
一方、このようにＣＮ（標準偏差）の値が大きく、各チューナ部（各復調部）ごとのＣ／Ｎ値のばらつきが大きいときに、従来のように２ダイバー構成への切り替えが行われると、点線で示されるように２ダイバー構成のＣ／Ｎ値ＣＮD2（あるいはＣＮD3）が番組視聴可能Ｃ／Ｎ値を下回る場合があり、番組視聴が困難になった時点（ｔ＝８）で再び４ダイバー構成に切り替えると、視聴中の番組が一時的に途切れたりする事態が発生し、良好な受信品質を維持する上では望ましくない。
【００４１】
このように、本実施形態の地上デジタル放送受信機１００では、４ダイバー構成によって得られる合成出力ＣＮD1に基づいて検出される受信状態が良好なだけでなく、さらに各復調部２２〜２８のそれぞれの出力に基づいて検出される受信状態にばらつきが少ないことが確認された場合に、４ダイバー構成を用いた番組視聴から、一方の２ダイバー構成を用いた番組視聴と他方の２ダイバーを用いたバックグラウンド動作に切り替えられるため、切替後に良好に番組視聴を継続することが可能となる。特に、放送信号のＣ／Ｎ値を用いて受信状態を検出することにより、放送信号の受信状態を確実に検出することができる。
【００４２】
また、受信状態のばらつきとして、４つの復調部２２〜２８のそれぞれから出力される復調信号に対応する４つのＣ／Ｎ値ＣＮ1、ＣＮ2、ＣＮ3、ＣＮ4を用いて算出される標準偏差を用いることにより、チューナ部１０〜１６のそれぞれごとの受信状態のばらつきを確実に知ることができる。
【００４３】
また、４つの復調部２２〜２８を２つにグループ分け（一方の２ダイバー構成と他方の２ダイバー構成）し、受信状態が相対的に良好な一方のグループで番組視聴を行い、他方のグループでバックグラウンド動作を行うことにより、切替後も可能な限り良好な受信品質で番組視聴を継続することができる。
【００４４】
また、サーチ処理部５４とＥＰＧ作成部５５を備えることにより、良好に番組視聴を継続しながら、中継局あるいは系列局のサーチ動作や電子番組表の作成動作を行うことが可能となる。
【００４５】
図４は、地上デジタル放送受信機１００の変形例の動作手順を示す流れ図である。４ダイバー構成によって番組視聴中に、切替制御部５３は、受信状態検出部５１によって検出された４ダイバー構成におけるＣ／Ｎ値ＣＮD1が２６ｄＢ以上か否かを判定する（ステップ２００）。Ｃ／Ｎ値ＣＮD1が２６ｄＢよりも低い場合、すなわち、２ダイバー構成で番組視聴を継続できるほど受信状態が良好でない場合には否定判断が行われ、引き続きこの判定が繰り返される。
【００４６】
また、Ｃ／Ｎ値ＣＮD1が２６ｄＢ以上の場合にはステップ１００の判定において肯定判断が行われる。次に、切替制御部５３は、受信状態検出部５１によって検出されたチューナ部１０、１２に対応する一方の２ダイバー構成におけるＣ／Ｎ値ＣＮD2が、チューナ部１４、１６に対応する他方の２ダイバー構成におけるＣ／Ｎ値ＣＮD3以上か否かを判定する（ステップ２０２）。
【００４７】
Ｃ／Ｎ値ＣＮD2がＣ／Ｎ値ＣＮD3以上の場合には肯定判断が行われる。次に、切替制御部５３は、一方の２ダイバー構成に含まれる２つのチューナ部１０、１２のそれぞれに対応するＣ／Ｎ値ＣＮ1、ＣＮ2がともに２１ｄＢ以上か否かを判定する（ステップ２０４）。
【００４８】
Ｃ／Ｎ値ＣＮ1、ＣＮ2がともに２１ｄＢ以上の場合には肯定判断が行われる。次に、切替制御部５３は、ＯＦＤＭ復調部２０、ＭＰＥＧデコーダ４０、サーチ処理部５４、ＥＰＧ作成部５５等に切替指示を送る。以後、この切替指示に応じて、チューナ部１０、１２に対応する一方の２ダイバー構成およびＭＰＥＧデコーダ４０による番組視聴が行われ（ステップ２０６）、チューナ部１４、１６に対応する他方の２ダイバー構成およびサーチ処理部５４、ＥＰＧ作成部５５によるバックグラウンド動作が行われる（ステップ２０８）。
【００４９】
また、Ｃ／Ｎ値ＣＮ1、ＣＮ2の少なくとも一方が２１ｄＢ未満の場合にはステップ２０４の判定において否定判断が行われる。次に、切替制御部５３は、標準偏差算出部５２によって算出された、復調部２２〜２８のそれぞれから出力される復調信号に対応する４つのＣ／Ｎ値ＣＮ1、ＣＮ2、ＣＮ3、ＣＮ4の標準偏差ＣＮ（標準偏差）が、３ｄＢ未満か否かを判定する（ステップ２１０）。標準偏差ＣＮ（標準偏差）が３ｄＢ以上の場合、すなわち、復調部２２〜２８のそれぞれから出力される復調信号に対応する４つのＣ／Ｎ値ＣＮ1、ＣＮ2、ＣＮ3、ＣＮ4のばらつきが大きい場合には否定判断が行われ、ステップ２００戻ってＣ／Ｎ値ＣＮD1についての判定動作が繰り返される。
【００５０】
また、標準偏差ＣＮ（標準偏差）が３ｄＢ未満の場合にはステップ２１０の判定において肯定判断が行われる。この場合にはステップ２０６に移行し、チューナ部１０、１２に対応する一方の２ダイバー構成およびＭＰＥＧデコーダ４０による番組視聴（ステップ２０６）と、チューナ部１４、１６に対応する他方の２ダイバー構成およびサーチ処理部５４、ＥＰＧ作成部５５によるバックグラウンド動作（ステップ２０８）が行われる。
【００５１】
また、Ｃ／Ｎ値ＣＮD2がＣ／Ｎ値ＣＮD3未満でステップ２０２の判定において否定判断が行われると、切替制御部５３は、他方の２ダイバー構成に含まれる２つのチューナ部１４、１６のそれぞれに対応するＣ／Ｎ値ＣＮ3、ＣＮ4がともに２１ｄＢ以上か否かを判定する（ステップ２１２）。
【００５２】
Ｃ／Ｎ値ＣＮ3、ＣＮ4がともに２１ｄＢ以上の場合には肯定判断が行われる。次に、切替制御部５３は、ＯＦＤＭ復調部２０、ＭＰＥＧデコーダ４０、サーチ処理部５４、ＥＰＧ作成部５５等に切替指示を送る。以後、この切替指示に応じて、チューナ部１４、１６に対応する他方の２ダイバー構成およびＭＰＥＧデコーダ４０による番組視聴が行われ（ステップ２１４）、チューナ部１０、１２に対応する一方の２ダイバー構成およびサーチ処理部５４、ＥＰＧ作成部５５によるバックグラウンド動作が行われる（ステップ２１６）。
【００５３】
また、Ｃ／Ｎ値ＣＮ3、ＣＮ4の少なくとも一方が２１ｄＢ未満の場合にはステップ２１２の判定において否定判断が行われる。次に、切替制御部５３は、標準偏差算出部５２によって算出された、復調部２２〜２８のそれぞれから出力される復調信号に対応する４つのＣ／Ｎ値ＣＮ1、ＣＮ2、ＣＮ3、ＣＮ4の標準偏差ＣＮ（標準偏差）が、３ｄＢ未満か否かを判定する（ステップ２１８）。標準偏差ＣＮ（標準偏差）が３ｄＢ以上の場合、すなわち、復調部２２〜２８のそれぞれから出力される復調信号に対応する４つのＣ／Ｎ値ＣＮ1、ＣＮ2、ＣＮ3、ＣＮ4のばらつきが大きい場合には否定判断が行われ、ステップ２００戻ってＣ／Ｎ値ＣＮD1についての判定動作が繰り返される。
【００５４】
また、標準偏差ＣＮ（標準偏差）が３ｄＢ未満の場合にはステップ２１８の判定において肯定判断が行われる。この場合にはステップ２１４に移行し、チューナ部１４、１６に対応する他方の２ダイバー構成およびＭＰＥＧデコーダ４０による番組視聴（ステップ２１４）と、チューナ部１０、１２に対応する一方の２ダイバー構成およびサーチ処理部５４、ＥＰＧ作成部５５によるバックグラウンド動作（ステップ２１６）が行われる。
【００５５】
このように、４ダイバー構成による番組視聴から２ダイバー構成による番組視聴への切替後も良好な受信品質で番組視聴の継続が可能であることを切替前に確認することにより（ステップ２０４、２１２）、ばらつきに関する判定動作（ステップ２１０、２１８）を省略することができる。
【００５６】
なお、本発明は上記実施形態に限定されるものではなく、本発明の要旨の範囲内において種々の変形実施が可能である。例えば、上述した実施形態では、受信状態をＣ／Ｎ値を用いて検出したが、その他の特性値を用いるようにしてもよい。
【００５７】
また、上述した実施形態では、４ダイバー構成の地上デジタル放送受信機１００について説明したが、チューナ部１０等の数は４以外であってもよい。また、４ダイバー構成を用いたフルセグメントデジタル放送の番組視聴から２ダイバー構成を用いたフルセグメントデジタル放送の番組視聴と２ダイバー構成を用いたフルセグメントデジタル放送のバックグランド動作に切り替えたが、このバックグラウンド動作をワンセグメントデジタル放送に切り替えて行うようにしてもよい。
【００５８】
また、上述した実施形態では、受信状態のばらつきの程度を知るために標準偏差を用いたが、それ以外の指標を用いるようにしてもよい。例えば、平均値からの偏差の累積値などを用いるようにしてもよい。
【産業上の利用可能性】
【００５９】
上述したように、本発明によれば、複数の復調処理手段の出力を合成した後の信号に基づいて検出される受信状態が良好なだけでなく、さらに各復調処理手段の出力に基づいて検出される受信状態にばらつきが少ないことが確認された場合に、全部の復調処理手段を用いた番組（映像、音声）の再生動作から、一部の復調処理手段を用いた番組の再生および残りの復調処理手段を用いたバックグラウンド動作に切り替えられるため、切替後に良好に番組視聴を継続することが可能となる。
【符号の説明】
【００６０】
１００  地上デジタル放送受信機
１０、１２、１４、１６  チューナ部
３０  ＯＦＤＭ復調部
４０  ＭＰＥＧデコーダ
４２  デジタル−アナログ変換器（Ｄ／Ａ）
４４  スピーカ
４６  表示処理部
４８  表示装置
５０  制御部
５１  受信状態検出部
５２  標準偏差算出部
５３  切替制御部
５４  サーチ処理部
５５  ＥＰＧ作成部
６０  操作部
【図１】
2018042027.tif 000004
【図２】
2018042027.tif 000005
【図３】
2018042027.tif 000006
【図４】
2018042027.tif 000007